(57)【要約】【課題】小型かつ簡易な構成であって容易にファインダ対物レンズ系の視度を調整することができる変倍ファインダ視度調整装置を提供する。【解決手段】第３ファインダレンズ支持部６に偏心ピン支持部６ｃが設けられ、偏心ピン７が圧入状態で挿通されている。偏心ピン７の回動部の先端は偏心段差部を有し、偏心段差部が螺旋カム部８の側面に圧接されている。偏心ピン７の頭部を回転させることにより螺旋カム部８の側面から偏心ピン７の中心までの距離を調整することができ、ズーミングにおける第２ファインダレンズ２と第３ファインダレンズ３との規定された距離を変え視度調整を可能にするものである。【選択図】        図１
2004177789.tif 000002
【特許請求の範囲】
【請求項１】
カム部材と、該カム部材の回転により２枚のファインダレンズ支持枠が移動することにより前記２枚のファインダレンズが光軸方向に移動するとともに、前記２枚のファインダレンズの間隔が可変する変倍ファインダ装置を備えたカメラにおいて、
前記カム部材に係合する少なくとも一方の支持枠の係合部を、偏心部材で構成し、前記偏心部材により２枚のファインダレンズ間の距離を可変させることを特徴とする変倍ファインダ装置を備えたカメラ。
【請求項２】
回転により幅が連続的に変わるカム部材の側面を２枚のファインダレンズの支持枠で挟み付け、前記カム部材の回転により前記支持枠が移動することで前記２枚のファインダレンズが光軸方向に移動するとともに相互間の距離が可変する変倍ファインダ装置を備えたカメラにおいて、
少なくとも一方の前記支持枠の前記カム部材の側面に挟み付ける部分を、偏心部材で構成し、前記偏心部材により前記２枚のファインダレンズ間の距離可変させることを特徴とする変倍ファインダ装置を備えたカメラ。
【請求項３】
前記偏心部材は、偏心中心から側面までの距離が偏心している偏心ピンで構成したことを特徴とする請求項１または２記載の変倍ファインダ装置を備えたカメラ。
【請求項４】
前記２枚のファインダレンズは入射側からの第２および第３のファインダレンズであり、
入射側の第１のファインダレンズの配設位置の移動により視差調整を行い、
前記偏心部材による第２および第３のファインダレンズ間の距離の可変により視度調整を行うことを特徴とする請求項１乃至３記載の変倍ファインダ装置を備えたカメラ。
【発明の詳細な説明】
【０００１】
【発明の属する技術分野】
本発明は複数枚のファインダレンズの一部を移動させることにより撮影レンズに連動してズーミングを行う変倍ファインダ装置を備えたカメラに関する。
【０００２】
【従来の技術】
従来より、特許文献１に示すように、変倍ファインダ装置を備えたカメラがある。例えば、図７は、ファインダ装置のズーム機構を説明するための図で、（ａ）は斜視図，（ｂ）は螺旋カム部１５の展開図である。
この図は、本件発明者が実施を予定しているファインダ装置のズーム機構を示すものである。対物側のファインダレンズは第１〜第４のファインダレンズ２１，２２，２３および２４で構成されている。第１および第４ファインダレンズ２１，２４は固定されており、第２および第３ファインダレンズ２２，２３はズームのために光軸方向に移動可能である。第２および第３ファインダレンズ２２，２３の支持枠２９，３０の案内部２９ａ，３０ａは案内軸２５で案内される。案内部２９ａ，３０ａにはカム従動突起１６，１７が設けられている。
【０００３】
ファインダカム１８を構成する円筒１８ａの表面には螺旋カム部１５が形成され、この螺旋カム部１５を第２ファインダレンズ２２および第３ファインダレンズ２３のカム従動突起１６，１７が前後から挟み付けている。案内部２９ａ，３０ａの間にスプリング２６が掛け渡され、カム従動突起１６，１７は常に螺旋カム部１５に押し当てられるように付勢力が与えられている。カムギヤ２０はファインダカム１８に固定され、図示しない減速ギヤ群に歯合されている。減速ギヤ群は図示しないモータに結合され、モータの回転駆動力がファインダカム１８に伝達される。接眼部２８は対物側のファインダレンズを通った被写体像を覗く窓である。
図７（ａ）はワイド位置に第２および第３ファインダレンズ２２，２３が位置付けられた場合で、カム従動突起１６，１７は螺旋カム部１５の最も太い部分を挟み付けている。
【０００４】
図７（ｂ）は、カム従動突起の動きを説明するための螺旋カム部の展開図である。螺旋カム部１５のワイド側は幅が広くノーマル側に移るに従って急激に細くなり、テレ側に向かってさらに徐々に細くなっている。したがって、ズーミング動作に際し、テレ側になる程、第２ファインダレンズ２２と第３ファインダレンズ２３の距離間隔は狭くなる構成になっている。
【特許文献１】
特開２００２−６２５６２号公報
【０００５】
【発明が解決しようとする課題】
上記変倍ファインダ装置の組み立てに際し、視度を調整する方法として複数のファインダレンズの内、第１のファインダレンズ２１によって行う場合がある。この方法は同時に視差調整するとき、第１ファインダレンズ２１の構成あるいは調整方法が複雑になるという問題があった。
また、カム自体をファインダの光軸方向に移動させて視度調整する場合は、調整の感度が低いため、調整量を大きくしなければならず、そのためのスペースを確保する必要があった。
【０００６】
本発明の目的は、小型かつ簡易な構成であって容易にファインダ対物レンズ系の視度を調整することができる変倍ファインダ装置を備えたカメラを提供することにある。
【０００７】
【課題を解決するための手段】
前記目的を達成するために本発明による変倍ファインダ装置を備えたカメラは、カム部材と、該カム部材の回転により２枚のファインダレンズ支持枠が移動することにより前記２枚のファインダレンズが光軸方向に移動するとともに、前記２枚のファインダレンズの間隔が可変する変倍ファインダ装置を備えたカメラにおいて、前記カム部材に係合する少なくとも一方の支持枠の係合部を、偏心部材で構成し、前記偏心部材により２枚のファインダレンズ間の距離を可変させるように構成されている。
本発明における変倍ファインダ装置を備えたカメラは、回転により幅が連続的に変わるカム部材の側面を２枚のファインダレンズの支持枠で挟み付け、前記カム部材の回転により前記支持枠が移動することで前記２枚のファインダレンズが光軸方向に移動するとともに相互間の距離が可変する変倍ファインダ装置を備えたカメラにおいて、少なくとも一方の前記支持枠の前記カム部材の側面に挟み付ける部分を、偏心部材で構成し、前記偏心部材により前記２枚のファインダレンズ間の距離可変させるように構成されている。
本発明における前記偏心部材は、偏心中心から側面までの距離が偏心している偏心ピンで構成されている。
本発明における前記２枚のファインダレンズは入射側からの第２および第３のファインダレンズであり、入射側の第１のファインダレンズの配設位置の移動により視差調整を行い、前記偏心部材による第２および第３のファインダレンズ間の距離の可変により視度調整するように構成されている。
【０００８】
【作用】
上記構成によれば、パララックス（視差）調整とは独立して容易に視度調整を行うことができる。また、調整感度が高いため調整量が少なく、加えて構成自体が簡易なため小形化が可能となる。
【０００９】
【発明の実施の形態】
以下、図面を参照して本発明の実施の形態を詳しく説明する。
図１は、本発明による変倍ファインダ視度調整装置を適用したファインダ装置の外観斜視図である。
入射側から順に第１ファインダレンズ１，第２ファインダレンズ２，第３ファインダレンズ３および第４ファインダレンズによってファインダの対物レンズ系が構成される。第１ファインダレンズ１に入射した光は、図２に示すように対物レンズ系を通り、ミラー１３ａ，１３ｂ，１３ｃおよび１３ｄで入反射を繰返し光路方向が９０度ずつ変更されて接眼部１４に導かれ、撮影者は接眼部１４より被写体像を観察することができる。
第２ファインダレンズ２は第２ファインダレンズ支持部５に、第３ファインダレンズ３は第３ファインダレンズ支持部６にそれぞれ取り付けられている。
【００１０】
第２ファインダレンズ支持部５は、第２ファインダレンズ支持枠５ａ，円筒ガイド５ｂおよび従動突起５ｃが一体成形されて構成され、前記円筒案内部５ｂは対物レンズ系に沿って掛け渡されている案内軸１０に摺動可能に取り付けられている。また、第３ファインダレンズ支持部６は、第３ファインダレンズ支持枠６ａ，円筒ガイド６ｂおよび偏心ピン７を螺合する偏心ピン取付部６ｃが一体成形されて構成され、前記円筒案内部６ｂも円筒案内部５ｂと同様に案内軸１０に摺動可能に取り付けられている。
従動突起５ｃおよび偏心ピン７の先端部はカム９の外周面に形成されている螺旋カム部８の両側面にそれぞれ圧接させられている。カム９はカムギヤ１１を有し、カムギヤ１１に減速ギヤ１２の最終ギヤが噛み合わされている。
図示しないモータ軸のピニオンが上記噛減速ギヤ群１２に噛合しており、モータの回転がカム９に伝達される。また、同様に第２ファインダレンズ支持部５と第３ファインダレンズ支持部６はスプリングが掛け渡されているが、本図では省略している。
【００１１】
ズーミング時に、カム９の回転にしたがって螺旋カム部８が回転するため、第２および第３ファインダレンズ５，６が案内軸１０に案内されて光軸上を進退するとともに螺旋カム部８の幅も連続的に変化するため、螺旋カム部８を挟み付けている従動突起５ｃと偏心ピン７の距離が変化し、第２および第３ファインダレンズ５，６の距離間隔が変化する。
本発明は、偏心部材であるピン７を回転させることにより、第２ファインダレンズ２と第３ファインダレンズ３との距離を可変可能とすることを特徴とする。この偏心ピン７を有することにより、カメラにファインダ装置を組み立てる時に、第１ファインダレンズ１を上下または左右に移動させて視差のみを補正し、偏心ピン７の回転により視度を調整することができるようになり、視差および視度調整を容易にかつ正確に行うことができるようになる。
以下、偏心ピン７による視度調整方法について説明する。
【００１２】
図３は、本発明による変倍ファインダ視度調整装置の実施の形態を示す斜視図で、（ａ）は偏心ピン７付近の斜視図，（ｂ）は（ａ）をさらに９０度回転させて示した斜視図である。また、図４，図５は偏心ピン７付近の断面図である。
偏心ピン７の頭部７ａにドライバーを嵌合するための長溝７ｄが設けられている。回動部７ｂの先端部は偏心段差部７ｃが形成され、この偏心段差部７ｃの長径寸法はｍ１  ，短径寸法はｍ２  になっている。
偏心支持部６ｃは貫通孔６ｄを有し，貫通孔６ｄに回動部７ｂは圧入で挿通される。偏心ピン７の回動部７ｂを挿通すると、偏心段差部７ｃの周面は螺旋カム部８の側面に対面する。
【００１３】
図示しないコイルスプリングを第２ファインダレンズ支持部５と第３ファインダレンズ支持部６の間に掛け渡すと、偏心ピン７の偏心段差部７ｃと第２ファインダレンズ支持部５のカム従動突起５ｃが螺旋カム部８の側面を挟むように圧接される。
第３ファインダレンズ３と螺旋カム部８の側面までの距離は、偏心ピン７の中心から偏心段差部７ｃの周面が接する螺旋カム部８の側面までである。
視度調整する場合には、ドライバーなどの治具で偏心ピン７の頭７ａを回転させることにより（ｍ１  −ｍ２  ）の距離だけ調整することができる。調整した回転位置は圧着構造であるので、一旦、調整すれば動くことはなく、必要に応じ接着剤を用いて固定することも可能である。
図４（ａ）は偏心ピン７の調整量が最も小さく、第２ファインダレンズ２と第３ファインダレンズ３との距離調整量が最小になっている場合を示している。
図５は偏心ピン７の調整量が最も大きく第２ファインダレンズ２と第３ファインダレンズ３との距離調整量が最大になっている場合を示している。
図６に、この変倍ファインダ装置の平面図を示す。
ズーミング時に光軸方向に移動する第２および第３ファインダレンズ２，３の前後に第１および第４ファインダレンズ１，４が配置されている。
なお、本実施例は、偏心段差部７ｃを有する偏心ピン７について説明したが、段差部を形成しない偏心ピン７を用いてもよい。例えば、図４（ｃ）に示すように、偏心ピンの中心位置をズラしただけで径がｍ１の部分と、ｍ２の部分を形成することができる。さらに、図４（ｄ）に示すように、図４（ｃ）の状態から９０°回転させた状態では、径がｍ３の部分と、ｍ４の部分（例えば、ｍ１＜ｍ３＜ｍ４＜ｍ２の関係）となるようにしたり、回転させることで徐々に径が変化するような偏心ピンを用いることにより、第２ファインダレンズ２と第３ファインダレンズ３との距離が複数設定できるようにすることが好ましい。
【００１４】
以上の実施の形態は、第３ファインダレンズ支持部に偏心ピンを設けた例を示したが、偏心ピンを第２ファインダレンズ支持部に設けても良く、あるいは両方に設けても良い。また、偏心部材として偏心ピンの例を示しているが、操作することによりその部材を偏心させて螺旋カム部の接触面までの距離を変えられるものであれば、偏心ピン以外の偏心部材を用いても良い。
【００１５】
【発明の効果】
以上、説明したように本発明によれば、２枚のファインダレンズをその距離間隔をカム部材で変えながら光軸方向に移動してズーミングするファインダ装置においてファインダレンズ部に偏心部材を設け、この偏心部材を回転させることにより、２枚のファインダレンズ間の距離を可変とすることで視度調整を行うことができるため、視差調整とは独立して視度調整ができ、さらに調整感度が高いため調整量が少なく、加えて構成自体が簡易なためファインダ装置を備えるカメラの小形化に寄与できる。
【図面の簡単な説明】
【図１】本発明によるカメラ変倍ファインダ装置を示す外観斜視図である。
【図２】図１のファインダ装置の光路を説明するための図である。
【図３】本発明によるカメラの変倍ファインダ装置の実施の形態を示す斜視図で、（ａ）偏心ピン付近の斜視図，（ｂ）は（ａ）をさらに９０度回転させて示した斜視図である。
【図４】本発明によるカメラの変倍ファインダ視度調整装置を説明するための図、（ａ）は螺旋カムとの距離を最大にしたときの偏心ピン付近の断面図，（ｂ）は偏心ピンの偏心度を説明するための図である。
【図５】本発明によるカメラの変倍ファインダ視度調整装置を説明するための図、（ａ）は螺旋カムとの距離を最小にしたときの偏心ピン付近の断面図である。
【図６】本発明によるカメラの変倍ファインダ視度調整装置の平面図である。
【図７】ファインダ装置のズーム機構を説明するための図で、（ａ）は斜視図，（ｂ）は螺旋カム部１５の展開図である。
【符号の説明】
１  第１ファインダレンズ
２  第２ファインダレンズ
３  第３ファインダレンズ
４  第４ファインダレンズ
５  第２ファインダレンズ支持部
６  第３ファインダレンズ支持部
７  偏心ピン
８  螺旋カム部
９  カム
１０  案内軸
１１  カムギヤ
１２  減速ギヤ群
１３  ミラー
１４  接眼部
【図１】
2004177789.tif 000003
【図２】
2004177789.tif 000004
【図３】
2004177789.tif 000005
【図４】
2004177789.tif 000006
【図５】
2004177789.tif 000007
【図６】
2004177789.tif 000008
【図７】
2004177789.tif 000009
【手続補正書】
【提出日】平成14年12月4日(2002.12.4)
【手続補正１】
【補正対象書類名】図面
【補正対象項目名】全図
【補正方法】変更
【補正の内容】
【図１】
2004177789.tif 000010
【図２】
2004177789.tif 000011
【図３】
2004177789.tif 000012
【図４】
2004177789.tif 000013
【図５】
2004177789.tif 000014
【図６】
2004177789.tif 000015
【図７】
2004177789.tif 000016